(57)【要約】【課題】  ビデオ・オン・デマンド装置においてレジューム再生を実現することを目的とする。【解決手段】  複数のビデオ・オン・デマンドによる番組の中から視聴する番組を選択させる。この選択された番組をセンター装置から受信し再生手段は再生する。レジューム位置記憶媒体は、再生手段が番組の再生をやめたときのレジューム位置を記憶する。制御手段は、再度前記再生手段が再度前記番組を再生するとき、前記レジューム位置から前記番組を再生するよう制御する。【選択図】      図４
2008118177.tif 000002
【特許請求の範囲】
【請求項１】
複数のビデオ・オン・デマンドによる番組の中から視聴する番組を選択させる手段と、
前記選択された番組をセンター装置から受信し再生する再生手段と、
前記再生手段が番組の再生をやめたときのレジューム位置を記憶するレジューム位置記憶媒体と、
再度前記再生手段が再度前記番組を再生するとき、前記レジューム位置から前記番組を再生するよう制御する制御手段とを備えたことを特徴とするレジューム再生装置。
【請求項２】
前記レジューム位置記憶媒体は、番組ＩＤまたは番組名と、レジューム位置とを対応付けて記憶することにより番組毎にレジューム位置を記憶し、
再度前記再生手段が再度前記番組を再生するとき、この再生する番組の番組ＩＤまたは番組名を用いて前記レジューム位置記憶媒体から読出したレジューム位置を用いて、このレジューム位置から前記番組を再生するよう制御する制御手段とを備えたことを特徴とする請求項１記載のレジューム再生装置。
【請求項３】
前記レジューム位置記憶媒体は、更に番組の購入日時，番組の長さ，再生日時，最後迄再生し終えた回数の内少なくとも１つを保持し、
前記レジューム位置記憶媒体が記憶している前記レジューム位置，番組の購入日時，番組の長さ，再生日時，最後迄再生し終えた回数の内少なくとも１つを番組毎に表示させるリスト表示手段と、
前記リスト表示手段に表示されたリストの中から前記再度再生する番組に該当するものを選択させる選択手段とを備え、
前記制御手段は、前記選択手段により選択されたレジューム位置を用いて前記レジューム位置から前記番組を再生するよう制御することを特徴とする請求項１記載のレジューム再生装置。
【請求項４】
更に、前記リスト表示手段は、最後まで一度も再生しきっていない番組のみを選択するためのリストを表示するリスト表示手段を有することを特徴とする請求項３記載のレジューム再生装置。
【請求項５】
更に、前記再生された番組を表示するディスプレイを備えたことを特徴とする請求項１乃至４のいずれか１項記載のレジューム再生装置。
【請求項６】
複数のビデオ・オン・デマンドによる番組の中から視聴する番組を選択させ、
前記選択された番組をセンター装置から受信し再生し、
前記番組の再生をやめたときのレジューム位置を記憶し、
再度前記番組を再生するとき、前記レジューム位置から前記番組を再生するよう制御することを特徴とするレジューム再生方法。
【発明の詳細な説明】
【技術分野】
【０００１】
この発明は、ビデオ・オン・デマンドサービスに使われるレジューム再生装置およびレジューム再生方法に関する。
【背景技術】
【０００２】
従来、ケーブルテレビ（ＣＡＴＶ）やＩＰ網を使ったビデオ・オン・デマンド（ＶＯＤ）サービスが行われている（例えば、特許文献１参照）。
しかし、従来のビデオ・オン・デマンド（ＶＯＤ）サービスでは、レジューム再生することができなかった。
【特許文献１】特開平０９−０７４５５０号公報
【発明の開示】
【発明が解決しようとする課題】
【０００３】
しかし従来のビデオ・オン・デマンド装置においては、レジューム再生することができないため、ユーザ自身で再生した番組の再生時間やシーンなどを覚えておき、早送りやスキップ再生などで再生位置を特定しなければならなかった。
【０００４】
この発明は、ビデオ・オン・デマンド装置においてレジューム再生を実現することを目的とする。
【課題を解決するための手段】
【０００５】
上記の目的を達成するために、この発明においては、複数のビデオ・オン・デマンドによる番組の中から視聴する番組を選択させる手段と、前記選択された番組をセンター装置から受信し再生する再生手段と、前記再生手段が番組の再生をやめたときのレジューム位置を記憶するレジューム位置記憶媒体と、再度前記再生手段が再度前記番組を再生するとき、前記レジューム位置から前記番組を再生するよう制御する制御手段とを備えたことを特徴とするレジューム再生装置を提供する。
【０００６】
また、上記の目的を達成するために、この発明においては、複数のビデオ・オン・デマンドによる番組の中から視聴する番組を選択させ、前記選択された番組をセンター装置から受信し再生し、前記番組の再生をやめたときのレジューム位置を記憶し、再度前記番組を再生するとき、前記レジューム位置から前記番組を再生するよう制御することを特徴とするレジューム再生方法を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、ビデオ・オン・デマンドによる番組についても、ユーザが以前再生した番組や、番組の再生時間やシーンなどを極力覚えることなく、レジューム位置から番組を再生することができる。
【発明を実施するための最良の形態】
【０００９】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ接続によるヘッドエンド１２５に対してイーサネット（登録商標）により情報の記録再生を行なうために使用される。このＬＡＮ接続はＩＰ網を介してビデオ・オン・デマンドのサービスを行っているヘッドエンド１２５に接続されており、デジタルテレビジョン放送受信装置１１１はビデオ・オン・デマンドのサービスを受けることができるよう構成されている。
【００１５】
このように、専用ポートとしての第１のＬＡＮ端子１２１を設けることにより、他のネットワーク環境やネットワーク使用状況等に影響されることなく、ヘッドエンド１２５に対してハイビジョン画質による番組を安定して取得することができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２０】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２７】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３２】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３３】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３５】
また、字幕放送による字幕を表示するとき、グラフィック処理部２５４は、制御部２６１からの制御による字幕情報に基づき、映像信号上に字幕情報を重畳する処理を行う。
【００３６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４０】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４１】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４２】
また、上記制御部２６１は、通信Ｉ／Ｆ２６９を介して第１のＬＡＮ端子１２１に接続されている。これにより、制御部２６１は、第１のＬＡＮ端子１２１に接続されたセンター側のヘッドエンド装置と、通信Ｉ／Ｆ２６９を介して情報伝送することができる。なお、制御部２６１には、第１のＬＡＮ端子１２１に接続されたセンター側のヘッドエンド装置側のＩＰ（Internet Protocol）アドレスが設定され通信できるようになっている。なお、この例では制御部２６１が通信Ｉ／Ｆ２６９とＩＰ網を介してヘッドエンド１２５と接続されるとしたが、従来のケーブルテレビジョンと同様に、ヘッドエンド１２５が通常のテレビジョン放送端を流すＣＡＴＶ型で構成され、制御部２６１が通信Ｉ／Ｆ２６９とテレビジョンケーブルを介してヘッドエンド１２５とを介してヘッドエンド１２５と接続されるよう構成しても本発明を適用することができる。
【００４３】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４４】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４５】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４６】
ところで、この実施形態では、不揮発性メモリ２６１ｃに、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４７】
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４８】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００４９】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５０】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５１】
以下、図３および４を用いて本発明のレジューム対応のビデオ・オン・デマンドを実現するときの動作について説明する。
図３および４は、デジタルテレビジョン放送受信装置１１１側での対応により、ビデオ・オン・デマンド時のレジュームに対応した例である。
図３は、リモートコントローラ１１７の“ビデオ・オン・デマンド・キー”を押下し、新たにビデオ・オン・デマンドによりコンテンツ（番組）を購入し、一度再生した番組を停止することにより番組の再生関連情報が完成するまでの動作について説明する図である。
【００５２】
（ステップＳ３０１）ユーザは、デジタルテレビジョン放送受信装置１１１を操作し、ヘッドエンド１２５と双方向通信を行い、ビデオ・オン・デマンドによる番組を購入する。なお、この購入動作については従来から知られているＧＵＩを介して実現することができる。
【００５３】
（ステップＳ３０２）デジタルテレビジョン放送受信装置１１１内の制御部２６１は、ユーザが番組を購入すると、図４に示すように（１）ビデオ・オン・デマンドにより番組を購入した日時を示す購入日時、（２）番組ＩＤ、（３）番組タイトル、（４）当該番組の総時間を示す番組長、の情報をヘッドエンド１２５から受信し、番組の再生関連情報として不揮発性メモリ２６１ｃに記憶する。
【００５４】
（ステップＳ３０３）制御部２６１は、ユーザが購入した番組を一旦再生するとステップＳ３０４へ進む。
（ステップＳ３０４）制御部２６１は、ステップＳ３０３で再生を開始した後、この再生が停止されると、ステップＳ３０５へ進む。
（ステップＳ３０５）制御部２６１は、ステップＳ３０４で停止した位置（次回レジューム再生をする位置）を示す（５）レジューム位置、（６）再生日時（途中からでもよいので再生を開始した日時、或いは途中でもよいので再生を終了させた日時）、再生回数を示す情報を、更に上記番組の再生関連情報に追加する形で、図４に示すように不揮発性メモリ２６１ｃに記憶する。
【００５５】
以上により７つの項目からなる番組の再生関連情報が完成する。なお、ステップＳ３０４で停止した位置が番組の最後の場合、（５）レジューム位置としては、番組の頭（０：００：００）を不揮発性メモリ２６１ｃに記憶する。この処理は、次回再生時には番組の頭から再生するためである。
【００５６】
図４は、図３の動作の後で、ユーザが例えばリモートコントローラ１１７の“ビデオ・オン・デマンド・キー”を押下し、再びビデオ・オン・デマンドにより番組を選択して、再生する際の動作を説明する図である。
【００５７】
（ステップＳ４０１）制御部２６１は、ユーザにより購入済みの番組をビデオ・オン・デマンドにより選択させる。
（ステップＳ４０２）制御部２６１は、ステップＳ４０１により選択された番組について、図５に示す番組の再生関連情報中の再生回数を示す情報が０回であるか調べることにより、最後まで一度も再生しきっていない番組であるか否かを判断する。もし、あればステップＳ４０３へ進み、なければステップＳ４０５へ進む。
【００５８】
なお、このステップＳ４０２の動作は必ずしも行わなくてもよい。このこのステップＳ４０２の動作を行わない場合、再生回数に限らずレジューム再生するか問い合わせることとなる。
【００５９】
（ステップＳ４０３）制御部２６１は、ＯＳＤ信号生成部２５７やグラフィック処理部２５４等を用いてレジューム再生するか否かを確認するＧＵＩ画面を生成して映像表示器１１４に表示させる。このＧＵＩ画面に対してユーザがリモートコントローラ１１７を操作することにより、レジューム再生をするか否かが決定される。レジューム再生する場合にはステップＳ４０４へ進み、しない場合にはステップＳ４０５へ進む。
【００６０】
なお、このステップＳ４０３の動作は必ずしも行わなくてもよい。このこのステップＳ４０３の動作を行わない場合、必ずレジューム再生されることとなる。
（ステップＳ４０４）制御部２６１は、レジューム位置から番組を再生開始する。実際には、制御部２６１は、この番組を一旦再生開始させた後、レジューム位置までジャンプや早送りさせることにより、レジューム再生を実現させる。なお、ヘッドエンド側が対応していれば、これに代え、制御部２６１は、この番組をレジューム位置から再生するためのリクエストをヘッドエンド側へ送信し、初めからレジューム位置から再生するようにしてもよい。図６は、このように初めからレジューム位置から再生することが可能なヘッドエンド側の動作を示す図である。番組をレジューム位置から再生するためのリクエスト（番組を識別するための番組ＩＤ、どこから再生するかを示すレジューム位置の情報）を受信したなら（ステップＳ６０１）、要求された番組をレジューム位置から再生しデジタルテレビジョン放送受信装置１１１へ送信する（ステップＳ６０２）。
【００６１】
（ステップＳ４０５）制御部２６１は、頭から番組を再生開始する。
（ステップＳ４０６）制御部２６１は、ステップＳ４０４またはステップＳ４０５で再生を開始した後、この再生が停止されると、ステップＳ４０７へ進む。
（ステップＳ４０７）制御部２６１は、ステップＳ４０６で停止した位置（次回レジューム再生をする位置）を示す（５）レジューム位置、（６）再生日時（途中からでもよいので再生を開始した日時、或いは途中でもよいので再生を終了させた日時）の情報を、更に上記番組の再生関連情報に追加する形で、図４に示すように不揮発性メモリ２６１ｃに記憶する。
【００６２】
なお、ステップＳ４０７で停止した位置が番組の最後の場合、（５）レジューム位置としては、番組の頭（０：００：００）を不揮発性メモリ２６１ｃに記憶する。この処理は、次回再生時には番組の頭から再生するためである。その際に最後まで視聴した番組は、再生回数に１インクリメントし表示する。これにより１度も最後まで視聴し終えていない番組の特定することができる。
【００６３】
以上説明した通り、ユーザはビデオ・オン・デマンドによる番組についても、最後まで一度も再生しきっていない番組が存在していた場合、レジューム位置から番組を再生することができる。
【００６４】
（変形例１）
なお、番組ＩＤや番組タイトルなどの情報について送信側と受信側とでやりとりをしないような仕様の場合には、番組を特定することができない。このような場合には、ユーザからの表示指示に応じて、制御部２６１は、図５（但し、図５中の番組ＩＤ，番組タイトル，最後迄再生した回数を削除した図）から図７に示すようなレジューム一覧リストを生成し表示させる。
【００６５】
このレジューム一覧リストを見たユーザは、番組の長さや再生日時等の情報から、これから再度再生する番組にあったレジューム情報を推測し、カーソル（図７の太線部）により所望のレジューム情報を選択する。すると制御部２６１は、番組をレジューム位置へジャンプや早送り等をさせて、レジューム位置から再生を開始する。
【００６６】
また、制御部２６１は、ビデオ・オン・デマンド要求時に、図８に示すようにして自動的にレジューム一覧リストを表示するようにしてもよい。このときレジューム一覧リストの画面には、先頭から再生という項目も設け、番組を先頭から再生できるようにしてもよい。例えば、図７下側に記載したトグルボタンを設けておく。そしてこのトグルボタンがレジューム位置から再生するよう選択されているか、或いは番組の頭から再生するよう選択されているかに応じて、制御部２６１は、番組をレジューム位置から再生するのか或いは頭から再生するかを変える。こうすることにより、ユーザはレジューム途中の番組であっても、先頭から再生できるようにすることができる。
【００６７】
（変形例２）
また、図７に示すレジューム一覧リストの画面中に、図５の購入日時の情報も更に表示するようにしてもよい。
こうすることにより、ユーザは購入履歴や視聴期限を容易に知ることができる。
（変形例３）
なお、上記実施形態ではレジューム再生用の情報を受信機側で持つ構成としたが、これに代え、ヘッドエンド側で受信装置毎に持つようにしてもレジューム再生を実現することができる。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００６９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】一度再生した番組を停止することにより番組の再生関連情報が完成するまでの動作について説明する図。
【図４】再びビデオ・オン・デマンドにより番組を選択して、再生する際の動作を説明する図。
【図５】番組の再生関連情報の一例を示す図。
【図６】レジューム再生するときのヘッドエンド側の動作を示す図。
【図７】レジューム一覧リストの画面の一例を示す図。
【図８】再びビデオ・オン・デマンドにより番組を選択して、再生する際の変形例の動作を説明する図。
【符号の説明】
【００７０】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５…ヘッドエンド、１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008118177.tif 000003
【図２】
2008118177.tif 000004
【図３】
2008118177.tif 000005
【図４】
2008118177.tif 000006
【図５】
2008118177.tif 000007
【図６】
2008118177.tif 000008
【図７】
2008118177.tif 000009
【図８】
2008118177.tif 000010